(57)【要約】【課題】  日常生活において、最も一般的な足裏刺激帯を複数の局部として捉え、履物を介し、それらの複数の局部を単一もしくは分散して、押圧もしくは揉み解すことにより、按摩療法の施術や、手術で足裏を叩いたり揉んだりする結果と似た健康的効果を提供する。【解決手段】  足裏の刺激帯を押圧する按し具と、前記按し具の頂部が半球形状・凹部形状に形成され、基台受部に挿着・収納自在に形成される複数の按し具と、  前記按し具の差込部を挿着する受部と前記按し具を逆さにして収納可能に形成された収納部とでなる複数の孔部を具備する基台と、で構成された履物を介し、最も一般的な足裏刺激帯を複数の局部として捉え、それらの複数の局部を単一もしくは分散して、押圧もしくは揉み解すことにより、足裏の末梢血管を良くする按摩療法の施術や、手術で足裏を叩いたり揉んだりする結果と似た圧反射によって、体調の回復や健康増進に多くの効果を与える足裏刺激帯の局部按し履物を提供する。【選択図】      図３
2005305075.tif 000002
【特許請求の範囲】
【請求項１】
足裏刺激帯を押圧もしくは揉み解す局部として、単一あるいは分散して捉えることを特徴とする足裏刺激帯の複数局部の配設。
【請求項２】
按し具の頂部が半球形状に形成され、前記按し具の中央部に基台収納部と連通する通気孔と、基台受部に挿着・収納自在に形成される外周部がその一部を欠いて形成される差込部とを具備する複数の按し具と、
請求項１記載の足裏刺激帯の複数局部が配設される位置に対応して、前記按し具の差込部が挿着される受部と、前記按し具の頂部を逆さにして収納可能に形成された収納部とでなる複数の孔部を具備する基台と、
で構成され、足裏刺激帯の複数局部の押圧もしくは揉み解すことを特徴とする足裏刺激帯の局部按し履物。
【請求項３】
按し具の頂部が凹部形状に形成されていることを特徴とする請求項２記載の足裏刺激帯の局部按し履物。
【請求項４】
請求項２もしくは請求項３記載の按し具の頂部内に磁性体を埋設して形成されていることを特徴とする足裏刺激帯の局部按し履物。
【請求項５】
請求項２、３乃至４記載のうち少なくともいずれか一つの同一形状の按し具をもって、足裏刺激帯局部の全数を押圧もしくは揉み解す全数使用方法、あるいは前記全数使用方法のうち、一部の按し具を基台収納部に収納して、残りの按し具をもって足裏刺激帯の局部を単一あるいは分散して、押圧もしくは揉み解す部分使用方法と、
請求項２、３乃至４記載の異なる形状に形成される按し具等を混合して使用する混合全数使用方法・混合部分使用方法と
を特徴とする使用方法。
【発明の詳細な説明】
【発明の詳細な説明】
【技術分野】
【０００１】  本発明は、履物を介して、足裏刺激帯の複数局部を押圧もしくは揉み解すことにより、足裏の血流をよくし、体力の調整・回復に役立てられる履物及びその使用方法に関する。
【背景技術】
【０００２】  一般に、人体の臓器が弱ってきたり、体調の具合が良くないときに、棒あるいは指角で押し、あるいは軽く叩いたりする手技による按摩（あんま）療法の施術で、足裏の血流を良くすることから体調の具合がよくなるということはよく知られている。しかし、これは日本に古くから伝わる経験的な手技療法で、按摩療法の専門的な知識がないと良い結果は得られない。それでも足裏に関しては、按摩療法の施術に類似して、グリ石を踏むことや半割竹の外面側を踏む簡便な方法、または履物を利用して、押圧もしくは揉み解す等の方法を用いることにより、良い結果が得られることがある。
これらの技術で、履物を利用する公知のものとして次の文献がある。【０００３】
【特許文献１】特開２００１−２５８６０２「健康サンダル」
【特許文献２】特開２０００−２８７７０１「つぼ押し草履」
【特許文献３】特開平１０−１０８７０１「足踏丸棒を設けた健康サンダル」
【特許文献４】特開平９−２２４７０７「吸着盤付き健康履物」
【特許文献５】特開平８−１０７８０１「健康芳香発生履物」
【特許文献６】特開平８−１４１０４４「磁気足裏健康具」
前記の【特許文献１】特開２００１−２５８６０２は、足裏を刺激するための複数の突起部を設けてある天板を備えた健康サンダルにおいて、前記突起部に孔を設け、前記天板の裏側に活性炭を備えたことを特徴とする「健康サンダル」（図１２）で、足又は天板の雑菌及び汚れのにおい成分が活性炭に吸着、消臭されるとするものである。
【特許文献２】特開２０００−２８７７０１は、足裏を受けるゴム台部に円形状の穴を多数あけ、円筒状の木駒を挿入固着して突起を形成し、木駒突起高さを同一平面状にすると共に、土踏まずの当接するやや高めの木駒を挿入固着したことを特徴とする「つぼ押し草履」（図１３）で、木駒は円筒状で接触面積が大きいため大なる指圧効果を有し、足裏全体を押圧するので疲労回復を早めると共に内臓機能を活発化させるとするものである。
【特許文献３】特開平１０−１０８７０１は、サンダル（又はスリッパ）の表底部に足踏み丸棒を列設したことを特徴とする「足踏み丸棒を設けた健康サンダル」（図１４）で、細い足踏み丸棒を横設したものである。
【特許文献４】特開平９−２２４７０７は、履物の履面、或いは中敷等の履面に任意形状の吸着盤を設けた「吸着盤付き健康履物」（図１５）で、吸着盤のポンプ作用と押圧刺激を与えることによって下肢の血流が促進され、その結果足の疲労やむくみ、だるさ等の深いな症状が改善されるとするものである。
【特許文献５】特開平８−１０７８０１は、スリッパ、サンダル、靴等履物の天板の土踏まずに中空状隆起部を突設し、該中空隆起部の空洞部に芳香剤を充填、密封してなり、使用時に該隆起部に通気孔を穿設して足裏の指圧と芳香発生による消臭を達成し得るようにしたことを特徴とする「健康芳香発生履物」（図１６）等がある。
【特許文献６】特開平８−１４１０４４「磁気足裏健康具」（図省略）は、磁石を表面に複数個の突起部を有する球形状に基台の表面から突出するごとく略円弧状の局面や凹部の基台全面に配設されて配設されていることを特徴とし、マッサージ効果があるとするものである。
【発明が解決しようとする課題】
【０００４】
【０００５】  上記の文献等に見られるのは、履物（サンダルを含む）等の台部に多数の突起部を設け、或いは土踏まずの部分の木駒をわずかに高くして必要に応じて木駒の高さを調整して足裏全面を均等に押圧刺激する履物等である。又磁気足裏健康具や、吸着盤付き健康サンダルにおいても足裏の全面に吸着するものであり、通常歩行は困難であり、足裏をほぼ特定して局部的に押圧する履物でなく、健康的効果に与える影響は少ない。すなわち、施術の基本では１点圧迫の圧刺激で、これがリズムカルな複合体として働き、圧反射によって組織や内臓の変調を整えると言う事にある。
【０００６】  以上に鑑み、本発明は、日常生活において、履物を介し、最も一般的な足裏刺激帯を複数の局部として捉え、それらの複数の局部を単一もしくは分散して、押圧もしくは揉み解すことにより、足裏の末梢血管を良くする按摩療法の施術や、手術で足裏を叩いたり揉んだりする結果と似た圧反射によって、体調の回復や健康増進に多くの効果を提供することを課題する。
【課題を解決するための手段】
【０００７】
【０００８】  前述の課題を解決する請求項１記載の手段は、足裏刺激帯を押圧もしくは揉み解す局部として、単一あるいは分散して捉え、複数局部として配設することを特徴とするものである。
【０００９】  請求項２記載の手段は、按し具の頂部が半球形状に形成され、前記按し具の中央部に前記基台収納部と連通する通気孔と、前記基台の受部に挿着される外周部がその一部を欠いて形成される差込部とを具備し、前記基台孔部に挿着・収納自在に形成される複数の按し具と、
前記請求項１記載の手段に対応する位置に、前記按し具の差込部を挿着する受部と、前記按し具の突起部を逆さにして収納可能に形成される収納部とでなる複数の孔部を具備する基台と、
で構成されることを特徴とするものである。
【００１０】  請求項３記載の手段は、請求項２記載の手段にかかわる按し具の頂部が、凹部形状に形成されていることを特徴とするものである。
【００１１】  請求項４記載の手段は、請求項２もしくは請求項３記載の手段にかかわる按し具の頂部が、その中央部に、磁性体を埋設して形成されていることを特徴とするものである。
【００１２】  請求項５記載の手段は、請求項２、３乃至４記載の少なくともいずれか一つにおいて、同一形状按し具を全数同時に使用して、足裏刺激帯局部を押圧、もしくは揉み解す全数使用方法、或いは前記全数使用方法の按し具のうち、一部の按し具を基台収納部に収納して、他の足裏刺激帯局部を押圧、もしくは揉み解す部分使用方法と、異なる形状に形成された按し具を混合して使用する混合全数使用方法・混合部分使用方法等の互換性を有して使用されることを特徴とするものである。
【発明を実施するための最良の形態】
【００１３】  本発明による実施の形態を以下に説明するが、本発明はこれらの実施の形態に限定されるものではない。【００１４】［請求項１の実施の形態］
図１は、本実施の形態にかかる刺激帯付近の複数局部位置を左足接地跡１上に表示した一実施例である。
請求項１の実施の形態は、足裏を指角などでぐっと抑えるとき、あるいはグリ石を踏んだときなど、「痛い」と感ずる足裏刺激帯を押圧もしくは揉み解す局部として、単一あるいは分散して捉え、複数局部として配設することを特徴とするものである。
図１に示すように、上述要領で捉えられる足裏刺激帯３の複数局部のうち、局部Ｐ１を接地した踵跡のほぼ中央部２に、局部Ｐ２、Ｐ３、Ｐ４を土踏まず３付近の三方位置に分散して捉え、局部Ｐ５を両手で強く挟んでできる足裏の大きい縦筋の下方部４に捉え、局部Ｐ６〜Ｐ１０を第１趾から第５趾の付け根で捉えている。第１趾と第２趾間の最も踵点Ｐ１に近い点を基準点Ｋ１とし、その基準点Ｋ１と踵点Ｐ１とを結ぶ線を基準線Ｋとし、踵点Ｐ１から各局部Ｐ２〜Ｐ５の概略位置を基準線Ｋの百分率で示している。又横方向の位置は、基準線Ｋから外側への概略位置を同じく基準線Ｋの百分率で示している。しかし、それらの局部位置は、個人差があるので数字は参考的なものである。又局部Ｐ６〜Ｐ１０までは第１趾から第５趾までの付け根として捉えられる局部で数値は省略している。前記局部Ｐ１を除き、局部Ｐ２からＰ１０は歩行時或いは直立時の体重負荷が少なく、足裏の他場所と比較して皮膚が薄く柔らかい。したがって、押圧もしくは揉み解す等の刺激が与えやすく、血流をよくするに適した局部である。また、本例は左足跡地を示しているが、右足跡地は通常左足跡とほぼ対称の位置である。【００１５】［請求項２の実施の形態］
図２は、本実施の形態にかかる足裏刺激帯の局部按し履物を示す一実施例（平面図）である。
図３は、前図２の側面図で、基台孔部及び按し具の挿着・収納状態を示す断面図である。
図４は、基台孔部の断面図である。
図５（ａ）は、按し具の断面図、図５（ｂ）は、按し具を基台収納部に収納した状態を示す断面図、図５（ｃ）は、前図（ｂ）の平面図である。
請求項２の実施の形態は、図２及び図３に示すように、履物は鼻緒つき履物（サンダルを含む）を使用し、履物の基台５は合成ゴム、合成樹脂、天然又は合成皮革、又は木材製である。鼻緒は足の甲の高さに調整が容易なバンド式又はマジックテープを使用したものが好ましい。基台１の着地側は特に制約しないが滑り止めを施したものがよい。図２に示すように、基台５の孔部Ｈ１〜Ｈ１０は、図１に示す局部Ｐ１〜Ｐ１０と対応した位置に設けられている。又図４、図５（ａ）、（ｂ）に示すように、基台５の孔部Ｈは、按し具Ｓの差込部Ｓａが挿着される受け部Ｈａと、突起部Ｓｂを逆さに収納できる収納部Ｈｂとを具備している。又差込部Ｓａと受け部Ｈａとは略気密に形成されている。【００１６】  又按し具Ｓは、図５（ａ），（ｂ），（ｃ）に示すように、半球形状に形成された頂部Ｓｂの中央部に、前記基台５の収納部Ｈｂと連通する通気孔Ｓｅが設けられている。【００１７】  又差込部Ｓａの外周部の一部Ｓｄを切り欠き、基台孔部Ｈｂに収納状態の按し具Ｓを、その切り欠き部Ｓｄを双方から掴めるように形成されている。【００１８】  按し具Ｓの大きさについては、局部Ｐ１において、体重が最も直接集中する箇所であり、按し具Ｓ１は他の局部と比較し、少し大きめ（直径約１乃至２ｃｍ、Ｐ２、Ｐ３、Ｐ４、Ｐ５はその約半分）のものが好ましい。図３に示す局部Ｐ１及びＰ５に、按し具Ｓ１及びＳ５が使用しされている状態を示している。又局部Ｐ２は按し具Ｓ２を逆さにして穴部Ｈ２に収納され、基台５の上面を平坦にしている状態を示している。又局部Ｐ３、Ｐ４（及びＰ６〜Ｐ１０）の図示については、それらの挿着・収納状態は同一であるため省略している。局部Ｐ６〜Ｐ１０については、第１趾から第５趾のそれぞれの付け根であり、体重の負担が比較的少なく、また趾間も狭く少し小さめの按し具としたものが好ましい。【００１９】  按し具Ｓの高さは、いずれも単数使用した場合において、押圧した按し具Ｓの周囲の足裏部分が、基台５の表面に接地しない程度の隙間を設ける高さとするのが好ましい。【００２０】  上記は按し具Ｓについて説明したが、後述する按し具Ｕ図６（ａ、ｂ、ｃ）、按し具Ｓｍ図７（ａ、ｂ）、按し具Ｕｍ図８（ａ、ｂ）等は、頂部形状の特徴を除き同形状に形成されるため詳細説明を省略する。【００２１】［請求項３の実施の形態］
請求項３の実施の形態は、図６（ａ、ｂ、ｃ）に示すように、按し具Ｕの頂部Ｕｂが凹部形状に形成され、中央部に前記基台収納部への通気孔Ｕｅが設けられている。凹部Ｕｂ形状の上端部Ｕｈはやや軟質材を使用し、凹部Ｕｂの上端部Ｕｈを足裏で塞ぐと、通気孔Ｕｅを介し凹部Ｕｂと孔部Ｈｂとは一連の空洞を形成し、体重を掛けると空洞の内部圧が上昇する。さらに体重を掛けると、空洞の内部圧は上がり、空洞内の圧縮された空気は足裏と凹部Ｕｂの上端部Ｕｈとの隙間から逃げる。すると足裏を上げるとき内部圧は負圧となっている。【００２２】［請求項４の実施の形態］
図７及び図８は、本実施の形態にかかる按し具の断面図である。
請求項４の実施の形態は、図７（ａ、ｂ）及び図８（ａ、ｂ）に示すように、前記第２、３実施の形態における按し具Ｓ、Ｕにおいて、頂部Ｓｍ、Ｕｂにそれぞれ磁性体Ｓｍ、Ｕｍが埋設されたものである。【００２３】［請求項５の実施の形態］
請求項５の実施の形態は、請求項２乃至４記載の少なくともいずれか一つにおいて、同一形状按し具を全数同時に使用して、足裏刺激帯局部を押圧もしくは揉み解す全数使用方法、あるいは前記全数使用方法のうち、一部の按し具を基台収納部に収納し、残りの局部をもって押圧もしくは揉み解す部分使用方法と、
異なる形状に形成される按し具等を混合使用する混合全数使用方法・混合部分使用方法等の互換性を有して形成される足裏刺激帯の局部按し履物の使用方法とするものである。
【作用】
【００２４】「請求項１の作用」
局部Ｐ２〜Ｐ１０は歩行時或いは直立時の体重負荷が少なく、足裏の他場所と比較して皮膚が薄く柔らかい。したがって、押圧もしくは揉み解す等の刺激が与えやすく、血流をよくするに適した局部である。又本例は左足接地跡を示しているが、右足接地跡は通常左足跡とほぼ対称の位置である。
「請求項２の作用」
歩行時に、軟材製の按し具Ｓの連通孔Ｓｅを足裏で塞ぐと、基台５の孔部Ｈｂは密封状態となり、按し具Ｓは局部を押圧すると共に、その孔部Ｈｂの内圧はクッションの働きをする。
又按し具Ｓの中央部に設けた通気孔Ｓｅは、基台収納部Ｈｂと連通しているため、差込部Ｓａと受部Ｈａとの挿着・収納時に、孔部Ｈｂに押し込められる空気圧を逃がし、又逆に按し具を取外すときは基台孔部のＨｂ負圧をなくす等、按し具の抜脱を容易にする。
又差込部Ｓａが外周部の一部Ｓｄを欠いて形成されており、Ｓｄを双方から掴み、按し具Ｓの収納状態から脱抜を容易にする。
「請求項３の作用」
軟質材の按し具Ｕの凹部Ｕｂは、按し具Ｕの通気孔Ｕｅを介し、基台収納部Ｈｂと一連の空洞を形成する。歩行時に、体重が掛けられると足裏で按し具の上端部Ｕｈが塞がれる状態になり、前記空洞の内部圧が上昇して足裏を押圧する。さらに体重が掛かると空洞の内部圧がより上昇し、足裏と上端部Ｕｈとの間から圧縮された空気は逃げる。次に、足を上げると空洞の圧力は負圧となり、柔らかい足裏の局部をつまむ作用となる。このことから歩行毎に押圧とつまみの作用が繰り返され、要するに、これが揉み解す作用として繰り返されることになる。
「請求項４の作用」
請求項２及び３の作用に加え、埋め込まれた磁性体の作用により、末梢血管にも、押圧若しくは揉み解す作用と併せマッサージの作用が加えられる。
「請求項５の作用」
同一形状の按し具の全数使用、あるいは部分使用、もしくは異なった形状の按し具の全数使用、部分使用は、例えば、局部Ｐ１の按し具のみを使用して、残りを収納する使用法、Ｐ２〜Ｐ５の按し具のみを使用する方法、Ｐ６〜Ｐ１０の按し具のみを使用する方法、あるいはＰ２〜Ｐ１０までの１つの按し具のみを使用するなど、使用者の体調に合った左右いずれの足裏刺激帯へも圧反射による健康効果に多くの選択肢を与える。
【発明の効果】
【００２５】  以上説明したように、本発明による履物は、最も一般的な足裏刺激帯を複数の局部として捉え、それらの複数の局部を単一もしくは分散して、押圧もしくは揉み解すことにより、足裏の末梢血管を良くする按摩療法の施術や、手術で足裏を叩いたり揉んだりする結果と似た圧反射によって、体調の回復や健康増進に多くの効果を与えることができる。
【図面の簡単な説明】
【図１】  足裏刺激帯付近の局部位置を左足接地跡上に表示した１例である。
【図２】  足裏刺激帯付近の局部按し履物の１例を示す平面図である。
【図３】  足裏刺激帯付近の局部按し履物の１例を示す側面図（１部断面）である。
【図４】  足裏刺激帯付近の局部按し履物基台の孔部形状を示す断面図である。
【図５】  足裏刺激帯付近の局部按し履物按し具Ｓの形状及び按し具Ｓを基台に装着・収納した状態を示す断面図と平面図である。
【図６】  足裏刺激帯付近の局部按し履物按し具Ｕの形状及び按し具Ｕを基台に装着・収納した状態を示す断面図と平面図である。
【図７】  足裏刺激帯付近の局部按し履物按し具Ｓｍの形状を示す断面図と平面図である。
【図８】  足裏刺激帯付近の局部按し履物按し具Ｕｍの形状を示す断面図と平面図である。
2005305075.tif 000003
【符号の説明】
Ｈ、Ｈ１〜Ｈ１０  基台孔部
Ｋ  基準線
Ｋ１  基準点
Ｐ１〜Ｐ１０  局部
Ｓ１〜Ｓ１０、Ｓ、Ｕ、Ｓｍ、Ｕｍ  按し具
１  足裏接地跡、２〜４  刺激帯、５  基台
【図１】
2005305075.tif 000004
【図２】
2005305075.tif 000005
【図３】
2005305075.tif 000006
【図４】
2005305075.tif 000007
【図５（ａ）】
2005305075.tif 000008
【図５（ｂ）】
2005305075.tif 000009
【図５（ｃ）】
2005305075.tif 000010
【図６（ａ）】
2005305075.tif 000011
【図６（ｂ）】
2005305075.tif 000012
【図６（ｃ）】
2005305075.tif 000013
【図７（ａ）】
2005305075.tif 000014
【図７（ｂ）】
2005305075.tif 000015
【図８（ａ）】
2005305075.tif 000016
【図８（ｂ）】
2005305075.tif 000017
【図９】
2005305075.tif 000018
【図１０】
2005305075.tif 000019
【図１１】
2005305075.tif 000020
【図１２】
2005305075.tif 000021
【図１３】
2005305075.tif 000022